(57)【要約】【課題】キャビネットの側板背面木口と底面木口、上面木口、蹴込み板の周囲木口については木口テープを貼り、キャビネットの背板には表裏両面が化粧された材料を使い、背板に貼られる補強材・ワークトップの裏打ち補強材については接着面を除く面を化粧して、芯材が露出しないようにする。キャビネット内の側板のダボ穴については、勘合する部材を挿入して芯材が露出しないように被覆する。これらの作業により、芯材が露出しない部材で構成されたキッチンを提供する。【解決手段】木質ボードで形成されたキッチンにおいて、キャビネットや補強材として使われる木質部材で、従来機種では空気にさらされていることが多い芯材の露出している部分を全て被覆したことを特長とするキッチン。【選択図】  図２
2004215893.tif 000002
【特許請求の範囲】
【請求項１】
木質ボードで形成されたキッチンにおいて、キャビネットや補強材として使われる木質部材で、従来機種では空気にさらされていることが多い芯材の露出している部分を全て被覆したことを特長とするキッチン。
【発明の詳細な説明】
【０００１】
【発明の属する技術分野】
本発明は、キッチンに関するものである。
【０００２】
【従来の技術】
木質ボードで形成されたキッチンにおいては、施工後見えない部分については仕上を施さないケースが一般的である。図３、図４は従来のベースキャビネットを示す斜視図であるが、側板１０の背面木口１０−１と底面木口１０−２、ワークトップ１５が載せられると見えなくなってしまう側板１０の上面木口１０−１や、前板１６の上面木口１６−１、蹴込み板１２の周囲木口１２−１、背板裏面１３、背板に貼られる補強材１４、ワークトップ１５の補強材１５−２，１５−３などの芯材が露出している部分である。
【０００３】
また、キャビネットの内部についても芯材が露出している部分がある。棚板を受けるために設けるダボを固定するダボ穴１７については、側板１０に等間隔の穴を空けただけで商品としているものが多いく、ここからホルムアルデヒドが放散することが考えられる。
【０００４】
【発明が解決しようとする課題】
木質ボードの種類としては、パーティクルボードや中質繊維板（ＭＤＦ）、合板、集成材などがあるが、ボード状に形成する際に使っている接着剤には、ホルムアルデヒドという化学物質が含まれている。室内に放散されたホルムアルデヒドは、化学物質過敏症の人が吸込んだり肌に触れることで、シックハウス症候群を引き起こす一因とされている。居室におけるホルムアルデヒド濃度規制については、建築基準法施行令改正案の第二十条の四〜第二十条の七、「居室内における化学物質の発散に対する衛生上の処置」に盛込まれており、持込み家具は対象外だが、キッチンは造り付け家具として対象品に指定されている。
【０００５】
ホルムアルデヒドは、木質ボードの芯材がむき出しになっている状態だと遮るものがないので空気中に放散するが、芯材表面を被覆することで、放散をかなり抑えることが可能である。
【０００６】
キャビネットの側板背面木口と底面木口、上面木口、蹴込み板の周囲木口については木口テープを貼り、キャビネットの背板には表裏両面が化粧された材料を使い、背板に貼られる補強材・ワークトップの裏打ち補強材については接着面を除く面を化粧して、芯材が露出しないようにする。キャビネット内の側板のダボ穴については、勘合する部材を挿入して芯材が露出しないように被覆する。これらの作業により、芯材が露出しない部材で構成されたキッチンを提供する。
【０００７】
【課題を解決するための手段】
本発明は次のものに関する。
（１）  木質ボードで形成されたキッチンにおいて、キャビネットや補強材として使われる木質部材で、従来機種では空気にさらされていることが多い芯材の露出している部分を全て被覆したことを特長とするキッチン。
【０００８】
【発明の実施の形態】
以下図１、図２を用いて本発明の説明を行う。
図１は本発明を壁側後方で床より低い位置から見上げた状態の全体斜視図。
図２は本発明を正面から見下ろした状態の斜視図である。
【０００９】
ベースキャビネットの側板１、底板２で壁と面する背面の木口１−１，２−１と、床と面する底面の木口１−２とワークトップ６が乗ることで見えなくなってしまう上面木口１−３には、木口テープを貼りつける。木口テープの素材には、塩化ビニール、メラミン、ＡＢＳ、アクリル等の樹脂系材料や、ウレタン樹脂含浸紙、チタン紙等の紙系材料、木部材、金属板等が考えられるが特に規定しない。
【００１０】
木口面を塗装によって被覆する方法も木口テープと同様にホルムアルデヒド放散を抑える効果があると考えられる。
背板４については、表裏共に化粧シートで仕上げられた板を使用する。
補強材５とワークトップ６の裏打ち補強材６−２，６−３は、接着面を除く全ての面に化粧シートを貼りつけるか、塗装により表面を被覆する。化粧シートの素材は、木口テープと同じものが使われていると考えて差し支えない。
【００１１】
ダボ穴８は、直径７〜１０ｍｍ程度で貫通しない程度に空け、棚ダボスリーブ９を挿入する。棚ダボスリープで、実際の商品としてはＨＡＦＥＬＥ社の品番２８２．６４．７０８などがある。
【００１２】
【発明の効果】
芯材の露出面を被覆することにより、芯材中の含まれるホルムアルデヒドが外部に放散することを抑える効果が考えられる。この効果が保証されれば、建築基準法の改正で指定されている材料からのホルムアルデヒド放散速度が、Ｆ☆☆☆☆（０．００５ｍｇ／ｍ２ｈ以下）よりもランクの低い素材、例えばＦ☆☆☆（０．００５ｍｇ／ｍ２ｈ超０．０２ｍｇ／ｍ２ｈ以下）やＦ☆☆（０．０２ｍｇ／ｍ２ｈ超０．１２ｍｇ／ｍ２ｈ以下）を使った場合においても、複合体として基準をクリアできる可能性がある。また、芯材の露出が見られないということは、見た目としても、使用者の不安感を払拭する効果がある。
【図面の簡単な説明】
【図１】本発明品を壁側後方で床より低い位置から見上げた状態の全体斜視図
【図２】本発明品を正面から見下ろした状態の全体斜視図
【図３】従来品を壁側後方で床より低い位置から見上げた状態の全体斜視図
【図４】従来品を正面から見下ろした状態の全体斜視図
【符号の説明】
１：側板
１−１：表面を被覆された状態の背面木口
１−２：表面が被覆された状態の底面木口
２：底板
２−１：表面が被覆された状態の背面木口
３：蹴込み板
３−１：表面が被覆された状態の底面木口
４：背板裏面
５：背板の補強材
６：ワークトップ
６−１：ワークトップ材
６−２：背面の補強材
６−３：底部の補強材
７：前板
７−１：上面木口
８：ダボ穴
９：棚ダボスリープ
１０：従来の側板
１０−１：芯材が露出している背面木口
１０−２：芯材が露出している底面木口
１０−３：芯材が露出している上面木口
１１：従来の底板
１１−１：芯材が露出している背面木口
１２：従来の蹴込み板
１２−１：芯材が露出している周囲木口
１３：芯材が露出している従来の背板裏面
１４：芯材が露出している従来の背板補強材
１５：ワークトップ
１５−１：ワークトップ材
１５−２：芯材で作られた背面側補強材
１５−３：芯材で作られた底面補強材
１６：芯材が露出している従来の前板
１６−１：芯材が露出している上面木口
１７：芯材が露出している従来のダボ穴
【図１】
2004215893.tif 000003
【図２】
2004215893.tif 000004
【図３】
2004215893.tif 000005
【図４】
2004215893.tif 000006